(57)【要約】【課題】組立を良好に行うことができ、かつＦＰＣの長さを必要最低限として低コストで信頼性を向上させる。【解決手段】表示装置は、少なくとも画像が表示される表示部ユニット８と、表示部ユニットを覆う外装部材１０とを有している。表示部ユニットには、被検知体の近接を検知する近接センサー６が備えられており、外装部材には、近接センサーを保護するための保護部９が備えられ、さらに、外装部材には、近接センサーの検知方向において表示部ユニットを外装部材に固定するための固定部１０−ａが形成されている。【選択図】図３
2020020976.tif 000002
【特許請求の範囲】
【請求項１】
少なくとも画像が表示される表示部ユニットと、該表示部ユニットを覆う外装部材とを有する表示装置であって、
前記表示部ユニットには、被検知体の近接を検知する近接センサーが備えられており、
前記外装部材には、前記近接センサーを保護するための保護部が備えられ、
さらに、前記外装部材には、前記近接センサーの検知方向において前記表示部ユニットを前記外装部材に固定するための固定部が形成されていることを特徴とする表示装置。
【請求項２】
前記外装部材は前記固定部において前記表示部ユニットと螺子によって固定されていることを特徴とする請求項１に規定の表示装置。
【請求項３】
前記表示部ユニットにおける表示面を保護するキャップ部材を有し、
前記固定部は前記キャップ部材によって覆われることを特徴とする請求項２に記載の表示装置。
【請求項４】
前記キャップ部材には、前記固定部に対応する位置において前記螺子に突出する凸形状部が形成されており、
前記凸形状部の先端は前記螺子に当接又は所定量離間していることを特徴とする請求項３に記載の表示装置。
【請求項５】
前記螺子は、前記表示部ユニットを貫通して、前記近接センサーの検出方向において前記外装部材と当接する構造部材に締結されることを特徴とする請求項２に記載の表示装置。
【請求項６】
前記外装部材は、前記固定部が形成された箇所以外の箇所において前記表示部ユニットと離間していることを特徴とする請求項２に記載の表示装置。
【請求項７】
前記近接センサーは、光を投光する投光部と、前記投光部からの光が前記被検知体で反射された反射光を受光する受光部と、を有することを特徴とする請求項１乃至６のいずれか１項に記載の表示装置。
【請求項８】
請求項１乃至７のいずれか１項に記載の表示装置を備える電子機器。
【請求項９】
前記近接センサーによる検知結果に応じて前記表示部ユニットをオンオフ制御する制御手段を有することを特徴とする請求項８に記載の電子機器。
【請求項１０】
少なくとも画像が表示される表示部ユニットと、
前記表示部ユニットを覆う外装部材と、
前記表示部ユニットを取り付ける取り付け座が形成された本体部と、有し、
前記表示部ユニットには、被検知体の近接を検知する検知部と、前記取り付け座に固定される表示部ユニット固定部とが備えられ、
前記外装部材には、前記検知部を保護するための保護部と、前記検知部の検知方向において前記表示部ユニット固定部を前記取り付け座に固定するための固定部と、が備えられていることを特徴とする電子機器。
【請求項１１】
前記表示部ユニット固定部は前記固定部において前記取り付け座に螺子によって固定されていることを特徴とする請求項１０に記載の電子機器。
【請求項１２】
前記表示部ユニットには、前記表示部ユニット固定部が２か所で形成されており、
当該表示部ユニット固定部を結ぶ第１の直線が表示部ユニットの所定方向の第１の中心線と近接しかつ前記第１の中心線と平行の関係にあることを特徴とする請求項１０又は１１に記載の電子機器。
【請求項１３】
前記検知部は前記第１の直線上に位置することを特徴とする請求項１２に記載の電子機器。
【請求項１４】
前記表示部ユニットには、前記表示部ユニット固定部が２か所で形成されており、
当該表示部ユニット固定部を結ぶ直線が表示部ユニットの所定方向の第１の中心線と近接しかつ前記第１の中心線と平行の関係にあり、
前記第１の直線の中点を通って直交する第２の直線が前記１の中心線に直交する前記表示部ユニットの第２の中心線に略一致することを特徴とする請求項１０又は１１に記載の電子機器。
【請求項１５】
前記検知部は前記第２の直線上に位置することを特徴とする請求項１４に記載の電子機器。
【発明の詳細な説明】
【技術分野】
【０００１】
本発明は、表示装置および電子機器に関し、特に、表示部と当該表示部に対する表示の切替を行う近接センサーを有する表示装置に関する。
【背景技術】
【０００２】
一般に、電子機器の１つであるカメラには、ユーザがファインダーを覗いたことを検知して、表示の切替を行う近接検知部を備えるものがあり、この近接検知部は、例えば、ファインダーの近傍に配置されている。
【０００３】
近接検知部は、例えば、近接センサーと保護窓とを有しており、近接センサーは投光素子および受光素子を備えている。そして、投光素子から投光された光がユーザーなどの反射体で反射された反射光を受光素子で受光して近接を検知する。
【０００４】
ところで、カメラに衝撃などが加わると、近接センサーと保護窓との距離が変化することがある。そして、当該距離が変化すると、保護窓面の反射によって生じるクロストーク量が変化し、近接センサーの検知距離が変化して結果的に表示切替が良好に行えなくなることがある。
【０００５】
このような事態を防止するため、例えば、カメラの外装ユニットで近接センサーおよび保護窓を圧接して保持するようにしたカメラが知られている（特許文献１）。
【先行技術文献】
【特許文献】
【０００６】
【特許文献１】特開２０１３−８３８６５号公報
【発明の概要】
【発明が解決しようとする課題】
【０００７】
ところが、特許文献１に記載のカメラでは、外装ユニットによって近接センサーを保持する関係上、例えば、フレキシブルプリント配線板（ＦＰＣ）を接続する工程を外装の組立際に行う必要がある。このため、カメラの組立が面倒となるばかりでなく、ＦＰＣを近接センサーまで延長する必要がありコストアップとなる。
【０００８】
従って、本発明の目的は組立を良好に行うことができ、かつＦＰＣの長さを必要最低限として低コストな表示装置および電子機器を提供することにある。
【課題を解決するための手段】
【０００９】
上記の目的を達成するため、本発明による表示装置は、少なくとも画像が表示される表示部ユニットと、該表示部ユニットを覆う外装部材とを有する表示装置であって、前記表示部ユニットには、被検知体の近接を検知する近接センサーが備えられており、前記外装部材には、前記近接センサーを保護するための保護部が備えられ、さらに、前記外装部材には、前記近接センサーの検知方向において前記表示部ユニットを前記外装部材に固定するための固定部が形成されていることを特徴とする。
【発明の効果】
【００１０】
本発明によれば、組立を良好に行うことができ、かつＦＰＣの長さを必要最低限として低コストで信頼性を向上させることができる。
【図面の簡単な説明】
【００１１】
【図１】本発明の実施の形態による電子機器の一例である撮像装置を示す斜視図である。
【図２】カメラに備えられる近接検知部の一例を示す図である。
【図３】図１に示すカメラの一部分を分解して示す斜視図である。
【図４】図３に示すカメラの一部分を組み付けた状態を示す断面図である。
【図５】図４に示す表示部ユニットの一例を説明するための図である。
【図６】図４に示す表示部ユニットの他の例を説明するための図である。
【発明を実施するための形態】
【００１２】
以下に、本発明の実施の形態による表示装置および電子機器の一例について図面を参照して説明する。
【００１３】
図１は、本発明の実施の形態による電子機器の一例である撮像装置を示す斜視図である。
【００１４】
図示の撮像装置は、例えば、デジタルカメラ（以下単にカメラと呼ぶ）であり、カメラ１は光学像（被写体像）を撮像素子（図示せず）に結像させるレンズ鏡筒２を備えている。さらに、カメラ１の本体部の背面側には大型モニター３およびファインダー４をが配置され、ユーザーは、モニター３およびファインダー４によって被写体像を確認することができる。
【００１５】
例えば、ユーザーがファインダー４を覗き込むと、カメラ１に備えられたＣＰＵ（図示せず）は近接検知部５によってユーザーの顔（被検知体）が近接したこと（近づいたこと）を検知する。そして、ＣＰＵはファインダー４に備えられた小型モニターを点灯し、大型モニター３を消灯する。一方、近接検知部５によってユーザーの顔が離れたことを検知すると、ＣＰＵは小型モニターを消灯し、大型モニター３を点灯する。つまり、ＣＰＵは近接検知部５による検知結果に応じて小型モニターをオンオフ制御する。
【００１６】
このように、ＣＰＵは近接検知部５によってユーザーがファインダー４を覗いているか否かを検知して表示の切り替え制御を行う。これによって、ユーザーがストレスを感じることなく撮影に集中できるばかりでなく、消費電力を低減することができる。
【００１７】
図２は、カメラに備えられる近接検知部の一例を示す図である。
【００１８】
図示のように、近接検知部５は、近接センサー６および保護窓（保護部）９を有している。近接センサー６は投光素子（投光部）６−ａおよび受光素子（受光部）６−ｂを備え、これら投光素子６−ａおよび受光素子６−ｂは一体に成型されている。そして、近接センサー６はＦＰＣ７に実装されている。
【００１９】
図示の例では、投光素子６−ａから投光された赤外光が検知対象物（例えば、ユーザーの顔）で反射した反射光を受光素子６−ｂで受光して検知対象物の接近を検知する。
【００２０】
ところで、投光素子６−ａから投光された赤外光には、保護窓９の内面又は外面で反射してクロストークとして受光素子６−ｂに受光されるものがある。このため、クロストークによる反射光量（クロストーク量）は常に一定であることが望ましく、近接センサー６と保護窓９とのギャップ１１を所定の値（一定値）とする必要がある。  ところが、カメラ１に大きな衝撃が加わって、例えば、近接センサー６と保護窓９とのギャップ１１が広がると、クロストーク量が増加してしまう。そして、クロストーク量が増加すると、ユーザーの顔が近づいたか否かを正常に検知することができない場合がある。
【００２１】
このため、保護窓９を備える外装ユニット（外装部材）によって近接センサー６を構成すればギャップ１１を安定させることができるが、前述のように、ＦＰＣの接続を外装組立の際に行う必要がある。この結果、カメラの組立が煩雑となり、さらには、ＦＰＣを延長する必要があるのでコストアップとなる。
【００２２】
図３は、図１に示すカメラの一部分を分解して示す斜視図である。
【００２３】
図示のように、表示部ユニット８には近接センサー６が取り付けられている。一方、外装ユニット１０には保護窓９が取り付けられている。表示部ユニット８には、表示部ユニット固定部８−ａが設けられており、外装ユニット１０には外装固定部１０−ａが設けられている。
【００２４】
さらに、外装ユニット１０において、近接センサー６の検出方向（実線矢印で示す方向）に当接する上面部外装（構造部材）１３には上面部外装固定部１３−ａが設けられている。そして、２本の螺子１２が表示部ユニット８を挟んで（つまり、貫通して）、外装固定部１０−ａおよび表示部ユニット固定部８−ａを介して近接センサー６の検出方向において上面部外装固定部１３−ａに締結される。
【００２５】
この結果、外装ユニット１０は近接検知部５を構成する保護窓９のみを設ければよく、カメラ組立の際の作業を効率的に行うことができる。さらには、近接センサー６を外装ユニット側に設ける場合に比べて、ＦＰＣ７を必要最低限の長さとすることができ、コストを抑えることができる。
【００２６】
図４は、図３に示すカメラの一部分を組み付けた状態を示す断面図である。
【００２７】
保護窓９を備える外装ユニット１０は、外装固定部１０−ａを介して近接センサー６を備える表示部ユニット８の固定部８−ａ及び上面部外装１３の固定部１３−ａに２本の螺子１２によって共締め固定される。
【００２８】
これによって、近接センサー６の検知方向に対して保護窓９および近接センサー６がそれぞれ相対的に動くことがなくなって、結果的にギャップ１１を一定に保つことが可能となる。
【００２９】
螺子１２の締結後に、外装ユニット１０にキャップ（キャップ部材）１４がスナップフィットによって取り付けられる。このキャップ１４は弾性体のエラストマーと硬質の熱可塑性樹脂とによって２色成形されている。
【００３０】
当該キャップ１４は、外観面側を弾性体のエラストマーとして、カメラが落下した際の衝撃から表示部ユニット８の表示面を保護する。さらに、キャップ１４はユーザーが眼鏡を装着している場合に当該眼鏡が傷つくことを防止する。キャップ１４の内部側は硬質の熱可塑性樹脂で形成されているので、キャップ１４を強固にスナップフィット固定することが可能となってカメラ使用の際にキャップ１４が不用意に外れることがない。
【００３１】
さらに、キャップ１４において、硬質の熱可塑性樹脂は螺子１２に当接するか又は熱可塑性樹脂には僅かなクリアランスを有する（所定量離間する）凸形状部１４−ａが形成されている。つまり、キャップ１４には、外装固定部１０−ａに対応する位置において螺子１２に突出する凸形状部１４−ａが形成されている。そして、凸形状部１４−ａの先端は螺子１２に当接又は所定量離間している。
【００３２】
凸形状部１４−ａを形成すれば、落下の際などカメラ１に衝撃が加わって螺子１２が上部外装固定部１３−ａに対して僅かに緩んだとしても螺子１２の頭頂部は凸形状部１４−ａによって抑えられる。この結果、螺子１２のそれ以上の緩みを防止することができる。
【００３３】
また、落下の際にキャップ１４が床面などに衝突して変形したとしても凸形状部１４−ａが螺子１２の頭頂部に当接してそれ以上の変形を防止することができる。つまり、カメラ１に衝撃などが加わっても、保護窓９と近接センサー６との間のギャップ１１を一定に保つことができる。
【００３４】
ところで、図４に示すように、表示部ユニット８は小型モニター８−ｂを備え、さらに小型モニターによる表示を拡大表示するとともにユーザーの視度に合う焦点位置に調整する光学レンズ８−ｃを備えている。よって、表示部ユニット８に外力が加わると、光学レンズ８−ｃの位置が変化して、小型モニター８−ｂによる表示がボケたるか又は歪んだように見えてしまうことがある。
【００３５】
そこで、図示の例では、表示部ユニット８は、表示部ユニット固定部８−ａが形成された箇所以外の箇所においては外装ユニット１０と接することなく空間１５が規定されている。これによって、カメラ１に落下などによる衝撃が加わって外装ユニット１０が多少変形したとしても光学レンズ８−ｃの位置は変化せず、常に所定の鮮明な画像をユーザーが視認することができる。
【００３６】
図５は図４に示す表示部ユニットの一例を説明するための図である。
【００３７】
表示部ユニット８には、表示部ユニット固定部８−ａが２か所で形成されている。これら表示部ユニット固定部８−ａを結ぶ直線Ｌ１（第１の直線）は表示部ユニット８の中心線ＣＬ１（所定方向に延びる第１の中心線）と近接しかつ中心線ＣＬ１と平行の関係にある。
【００３８】
このような関係を規定することによって、表示部ユニット８の重心近傍で固定することができるので、カメラ１に衝撃などが加わったとしても表示部ユニット８の位置は変位しにくい。さらに、直線Ｌ１上（第１の直線上）に近接センサー６が位置しているので、近接センサー６はその位置が変位しにくいように保持されることになる。
【００３９】
図６は図４に示す表示部ユニットの他の例を説明するための図である。
【００４０】
図６に示す例においても、図５に示す例と同様に、表示部ユニット８には、表示部ユニット固定部８−ａが２か所で形成されている。そして、これら表示部ユニット固定部８−ａを結ぶ直線Ｌ１は表示部ユニット８の横方向（所定方向）の中心線ＣＬ１と近接しかつ中心線ＣＬ１と平行の関係にある。
【００４１】
この結果、前述のように、表示部ユニット８の重心近傍で固定され、カメラ１に衝撃などが加わったとしても表示部ユニット８の位置は変位しにくい。
【００４２】
さらに、図６に示す例では、直線Ｌ１の中点を通って直交する直線Ｌ２（第２の直線）が表示部ユニット８の縦方向の中心線ＣＬ２（第２の中心線）と略一致する。そして、当該直線Ｌ２上（第２の直線上）に近接センサー６が位置する。これによって、近接センサー６はその位置が変位しにくいように保持されることになる。
【００４３】
このように、近接センサー６を表示部ユニット８の左右方向において置する場合又は上下方向において配置する場合のいずれにおいても表示部ユニット固定部８−ａと近接センサー６との位置関係を最適化することができる。
【００４４】
以上のように、本発明の実施の形態では、カメラの組立を良好に行うことができ、かつＦＰＣの長さを必要最低限として低コストで信頼性を向上させることができる。
【００４５】
以上、本発明の好ましい実施形態について説明したが、本発明はこれらの実施形態に限定されず、その要旨の範囲内で種々の変形及び変更が可能である。
【符号の説明】
【００４６】
１  カメラ
５  近接検知部
６  近接センサー
７  ＦＰＣ
８  表示部ユニット
９  保護窓
１０  外装ユニット
１１  ギャップ
１２  螺子
１４  キャップ
【図１】
2020020976.tif 000003
【図２】
2020020976.tif 000004
【図３】
2020020976.tif 000005
【図４】
2020020976.tif 000006
【図５】
2020020976.tif 000007
【図６】
2020020976.tif 000008